【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
複数のステージ群と複数の敵オブジェクトの中から、各ステージに対して一の敵オブジェクトを決定するゲーム装置において、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定手段と、
各ステージ群選択オプションを構成する各ステージにおける敵オブジェクトを決定する敵オブジェクト決定手段とを備え、
前記敵オブジェクト決定手段は、後続のステージにおけるステージと敵オブジェクトとの相関性が、先行のステージにおけるステージと敵オブジェクトとの相関性よりも高い相関性の設定された敵オブジェクトを決定することを特徴とするゲーム装置。
【請求項２】
複数のステージ群と複数の敵オブジェクトの中から、各ステージに対して候補敵オブジェクト群を決定するゲーム装置において、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定手段と、
各ステージ群選択オプションを構成する各ステージについて、敵オブジェクトの候補である複数の候補敵オブジェクトからなる候補敵オブジェクト群を割り当てる候補敵オブジェクト割当手段と、
各ステージ毎に、前記候補敵オブジェクト割当手段により割り当てられる候補敵オブジェクト群から敵オブジェクトを決定する敵オブジェクト決定手段とを備え、
前記候補敵オブジェクト割当手段は、後続のステージにおけるステージと当該ステージに割り当てられた候補敵オブジェクト群の各敵オブジェクトとの相関性が、先行のステージにおけるステージと当該ステージに割り当てられた候補敵オブジェクト群の各敵オブジェクトとの相関性よりも高い相関性の設定された候補敵オブジェクト群を割り当てることを特徴とするゲーム装置。
【請求項３】
複数のステージ群と複数の敵オブジェクトの中から、各ステージに対して一の敵オブジェクトを決定するゲーム装置において、
それぞれの敵オブジェクトにはそれぞれのステージに対する相関性が予め設定されており、
複数の敵オブジェクト群の中から一の敵オブジェクトを決定する敵オブジェクト決定手段と、
各敵オブジェクトに対して、複数のステージ群の中から一のステージを決定するステージ決定手段とを備え、
前記ステージ決定手段は、後続のステージにおける敵オブジェクトとステージとの相関性が、先行のステージにおける敵オブジェクトとステージとの相関性よりも高い相関性の設定されたステージを決定することを特徴とするゲーム装置。
【請求項４】
複数のステージ群と複数の敵オブジェクトの中から、各ステージに対して一の敵オブジェクトを決定するゲーム装置に実装されるコンピュータにおいて実行されるプログラムであって、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定制御と、
各ステージ群選択オプションを構成する各ステージにおける敵オブジェクトを決定する敵オブジェクト決定制御とを前記コンピュータに実行させ、
前記敵オブジェクト決定制御では、後続のステージにおける敵オブジェクトの決定において、先行のステージにおけるステージと敵オブジェクトとの相関性よりも後続のステージにおけるステージと高い相関性の設定された敵オブジェクトが決定されることを特徴とするプログラム。
【請求項５】
複数のステージ群と複数の敵オブジェクトの中から、各ステージに対して一の敵オブジェクトを決定するゲーム装置に実装されるコンピュータにおいて実行されるプログラムであって、
それぞれの敵オブジェクトにはそれぞれのステージに対する相関性が予め設定されており、
複数の敵オブジェクト群の中から一の敵オブジェクトを決定する敵オブジェクト決定制御と、
各敵オブジェクトに対して、複数のステージ群の中から一のステージを決定するステージ決定制御とを前記コンピュータに実行させ、
前記ステージ決定制御では、後続のステージにおける敵オブジェクトとステージとの相関性が、先行のステージにおける敵オブジェクトとステージとの相関性よりも高い相関性の設定されたステージが決定されることを特徴とするプログラム。
【請求項６】
複数のステージ群と複数の敵オブジェクトの中から、各ステージに対して一の敵オブジェクトを決定するゲーム装置に実装されるコンピュータにおいて実行されるプログラムを記録したコンピュータ読み取り可能な記録媒体であって、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定制御と、
各ステージ群選択オプションを構成する各ステージにおける敵オブジェクトを決定する敵オブジェクト決定制御とを前記コンピュータに実行させ、
前記敵オブジェクト決定制御では、後続のステージにおける敵オブジェクトの決定において、先行のステージにおけるステージと敵オブジェクトとの相関性よりも後続のステージにおけるステージと高い相関性の設定された敵オブジェクトが決定されることを特徴とするプログラムを記録したコンピュータ読み取り可能な記録媒体。
【請求項７】
複数のステージ群と複数の敵オブジェクトの中から、各ステージに対して一の敵オブジェクトを決定するゲーム装置に実装されるコンピュータにおいて実行されるプログラムを記録したコンピュータ読み取り可能な記録媒体であって、
それぞれの敵オブジェクトにはそれぞれのステージに対する相関性が予め設定されており、
複数の敵オブジェクト群の中から一の敵オブジェクトを決定する敵オブジェクト決定制御と、
各敵オブジェクトに対して、複数のステージ群の中から一のステージを決定するステージ決定制御とを前記コンピュータに実行させ、
前記ステージ決定制御では、後続のステージにおける敵オブジェクトとステージとの相関性が、先行のステージにおける敵オブジェクトとステージとの相関性よりも高い相関性の設定されたステージが決定されることを特徴とするプログラムを記録したコンピュータ読み取り可能な記録媒体。
【手続補正２】
【補正対象書類名】明細書
【補正対象項目名】０００９
【補正方法】変更
【補正の内容】
【０００９】
本発明は、上記の問題点を解決したものであり、
複数のステージ群と複数の敵オブジェクトの中から、各ステージに対して一の敵オブジェクトを決定するゲーム装置において、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定手段と、
各ステージ群選択オプションを構成する各ステージにおける敵オブジェクトを決定する敵オブジェクト決定手段とを備え、
前記敵オブジェクト決定手段は、後続のステージにおけるステージと敵オブジェクトとの相関性が、先行のステージにおけるステージと敵オブジェクトとの相関性よりも高い相関性の設定された敵オブジェクトを決定することを特徴とするゲーム装置（請求項１）、又は、
複数のステージ群と複数の敵オブジェクトの中から、各ステージに対して一の敵オブジェクトを決定するゲーム装置に実装されるコンピュータにおいて実行されるプログラムであって、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定制御と、
各ステージ群選択オプションを構成する各ステージにおける敵オブジェクトを決定する敵オブジェクト決定制御とを前記コンピュータに実行させ、
前記敵オブジェクト決定制御では、後続のステージにおける敵オブジェクトの決定において、先行のステージにおけるステージと敵オブジェクトとの相関性よりも後続のステージにおけるステージと高い相関性の設定された敵オブジェクトが決定されることを特徴とするプログラム（請求項４）、又は、当該プログラムを記録したコンピュータ読み取り可能な記録媒体（請求項６）である。
【手続補正３】
【補正対象書類名】明細書
【補正対象項目名】００１０
【補正方法】変更
【補正の内容】
【００１０】
本発明では、ステージ制で敵オブジェクトを相手とするゲームを行うことができる複数のステージ群選択オプション（以下の具体例及び発明の実施形態では「レースオプション」）が設定されており、ステージの進行とともに、ステージとの相関性が高くなる敵オブジェクトが登場するため、ゲームの多様性を高めることが可能となることに加えて、それぞれの敵オブジェクトについて、あるステージ群選択オプションでは攻略が容易で、別のステージ選択群オプションでは攻略が困難な敵オブジェクトであるという個性、特徴や、ステージ群選択オプションとの相性、相関性が設定されることとなり、これにより、ゲームの興趣性を一層高めることが可能になる。
【手続補正４】
【補正対象書類名】明細書
【補正対象項目名】００１１
【補正方法】変更
【補正の内容】
【００１１】
なお、本発明において、敵オブジェクトのステージに対する相関性は、例えば、レースゲームけるそのステージにおける敵オブジェクトの走行速度の高低や、そのステージの走行コースの完走に要する時間の長短を言い、当該相関性が高いとは、上記例における走行速度が高く、完走に要する時間が短いなどを意味し、当該相関性が低いとは、上記例における走行速度が低く、完走に要する時間が長いなどを意味する。
【手続補正５】
【補正対象書類名】明細書
【補正対象項目名】００１２
【補正方法】変更
【補正の内容】
【００１２】
また、本発明のステージ群オプション決定手段は、モニタ上に表示した選択肢からプレーヤーに選ばせる形式で構成することも可能であり、ランダムに、或いは、所定の順序に従って、ゲーム装置が自動的にステージ群選択オプションを決定するように構成することも可能である。
【手続補正６】
【補正対象書類名】明細書
【補正対象項目名】００１３
【補正方法】変更
【補正の内容】
【００１３】
また、本発明においては、各ステージ群選択オプションの特性や名称と敵オブジェクトの形状や名称を工夫することでステージ群選択オプションと敵オブジェクトの特性、個性や両者の相関関係がプレーヤーに理解されやすいように工夫することが特に好ましい。
【手続補正７】
【補正対象書類名】明細書
【補正対象項目名】００１６
【補正方法】変更
【補正の内容】
【００１６】
本発明では、
複数のステージ群と複数の敵オブジェクトの中から、各ステージに対して候補敵オブジェクト群を決定するゲーム装置において、
それぞれの敵オブジェクトにはそれぞれのステージに対する相関性が予め設定されており、
少なくとも２つ以上のステージから構成される複数のステージ群選択オプションから一のステージ群選択オプションを決定するステージ群選択オプション決定手段と、
各ステージ群選択オプションを構成する各ステージについて、敵オブジェクトの候補である複数の候補敵オブジェクトからなる候補敵オブジェクト群を割り当てる候補敵オブジェクト割当手段と、
各ステージ毎に、前記候補敵オブジェクト割当手段により割り当てられる候補敵オブジェクト群から敵オブジェクトを決定する敵オブジェクト決定手段とを備え、
前記候補敵オブジェクト割当手段は、後続のステージにおけるステージと当該ステージに割り当てられた候補敵オブジェクト群の各敵オブジェクトとの相関性が、先行のステージにおけるステージと当該ステージに割り当てられた候補敵オブジェクト群の各敵オブジェクトとの相関性よりも高い相関性の設定された候補敵オブジェクト群を割り当てることを特徴とするゲーム装置（請求項２）とすることも可能であり、この場合には、各ステージ選択オプションの各ステージで、異なる敵オブジェクトを相手とするゲームを行うことが可能となり、ゲームの多様性を一層高めることができる。
【手続補正８】
【補正対象書類名】明細書
【補正対象項目名】００２１
【補正方法】変更
【補正の内容】
【００２１】
本発明は、
複数のステージ群と複数の敵オブジェクトの中から、各ステージに対して一の敵オブジェクトを決定するゲーム装置において、
それぞれの敵オブジェクトにはそれぞれのステージに対する相関性が予め設定されており、
複数の敵オブジェクト群の中から一の敵オブジェクトを決定する敵オブジェクト決定手段と、
各敵オブジェクトに対して、複数のステージ群の中から一のステージを決定するステージ決定手段とを備え、
前記ステージ決定手段は、後続のステージにおける敵オブジェクトとステージとの相関性が、先行のステージにおける敵オブジェクトとステージとの相関性よりも高い相関性の設定されたステージを決定することを特徴とするゲーム装置（請求項３）、又は、
複数のステージ群と複数の敵オブジェクトの中から、各ステージに対して一の敵オブジェクトを決定するゲーム装置に実装されるコンピュータにおいて実行されるプログラムであって、
それぞれの敵オブジェクトにはそれぞれのステージに対する相関性が予め設定されており、
複数の敵オブジェクト群の中から一の敵オブジェクトを決定する敵オブジェクト決定制御と、
各敵オブジェクトに対して、複数のステージ群の中から一のステージを決定するステージ決定制御とを前記コンピュータに実行させ、
前記ステージ決定制御では、後続のステージにおける敵オブジェクトとステージとの相関性が、先行のステージにおける敵オブジェクトとステージとの相関性よりも高い相関性の設定されたステージが決定されることを特徴とするプログラム（請求項５）、又は、当該プログラムを記録したコンピュータ読み取り可能な記録媒体（請求項７）とすることも可能であり、これによっても上記と同様の効果を得ることができる。